(57)【特許請求の範囲】
【請求項１】
合成樹脂製のキートップ本体の上下面に、可撓性を有する樹脂フイルムからなる第一のフイルム板と第二のフイルム板を覆うように取り付けてなるキートップであって、
前記キートップの下面に凹部を設け、さらにこのキートップの上面と前記凹部間を貫通する貫通孔を設けたことを特徴とするキートップ。
【請求項２】
透明な樹脂フイルムからなるフイルム板を上方向に湾曲すると共にこの湾曲部内に透明な合成樹脂製のキートップ本体を取り付けてなるキートップであって、
前記キートップ本体の下面に凹部を設け、且つ前記キートップ本体下面の少なくとも凹部の部分に表示層を設け、さらに前記キートップの下側に、弾性板とスイッチとを設置するとともに、前記弾性板の前記キートップに設けた凹部に対向する部分に凹部内に突出する押圧補助部を設け、
キートップを押圧することで押圧補助部を下降して押圧補助部の下面側に設置した前記スイッチをオンすることを特徴とするスイッチ機構。
【請求項３】
合成樹脂製のキートップ本体の下面に、可撓性を有する樹脂フイルムからなるフイルム板を取り付けてなるキートップであって、
前記キートップの下面に凹部を設けるとともに、この凹部内に表示層を設け、さらに前記キートップの下側に、弾性板とスイッチとを設置するとともに、前記弾性板の前記キートップに設けた凹部に対向する部分に凹部内に突出する押圧補助部を設け、
キートップを押圧することで押圧補助部を下降して押圧補助部の下面側に設置した前記スイッチをオンすることを特徴とするスイッチ機構。
【発明の詳細な説明】
【０００１】
【発明の属する技術分野】
本発明は、押釦スイッチ等に用いて好適なキートップ及びこのキートップを用いたスイッチ機構に関するものである。
【０００２】
【従来の技術】
従来、小型・薄型化を図るために樹脂フイルムからなるフイルム板にモールド樹脂製キートップを成形したキートップ板が開発されており、その中でも透明なキートップの下面に所望の表示層を表示しておき、これをさらにその下側に配置した照明手段によって照らし出すタイプのキートップ板が開発されている。
【０００３】
図１１はこの種の従来のキートップ板２００中の一つのキートップ２１０の部分を示す要部概略側断面図である。なおキートップ板２００には実際は複数のキートップ２１０が配置されている。同図に示すキートップ板２００は、可撓性を有する透明な樹脂フイルムからなるフイルム板２０１の所定部分を上方向に湾曲せしめると共にこの湾曲部２０３内に透明なモールド樹脂製のキートップ本体２１１を成形し、さらにキートップ本体２１１の平面状の下面に所望の文字又は図形又は記号などからなる表示層２１３を表示形成することで構成されている。
【０００４】
そして図示しない照明手段によってキートップ板２００をその下側から照らし出せば、キートップ２１０の下面に表示した表示層２１３の色彩や文字などがキートップ２１０の表面側にくっきりと表示でき、キートップ２１０に高級感を持たせることができる。
【０００５】
ところで上記従来例において、複数の表示層２１３をキートップ本体２１１の下面に印刷した場合、複数の表示層２１３は何れも同一面に形成することとなるので複数の表示層２１３間での表示に立体感を持たせることができず、更なる高級感が出せなかった。このため複数の表示層２１３間の表示が上下に立体感を持って表示されることが望まれていた。
【０００６】
一方上記従来例においてはフイルム板２０１の湾曲部２０３の下面にキートップ本体２１１を取り付けているだけなので、フイルム板２０１とキートップ本体２１１の接着性が悪いような場合は、キートップ本体２１１がフイルム板２０１から外れてしまう恐れがあった。
【０００７】
【発明が解決しようとする課題】
本発明は上述の点に鑑みてなされたものでありその目的は、文字や模様や図形等の表示層を容易に上下に立体的に表示することができて更なる高級感を出すことができるキートップ及びこのキートップを用いたスイッチ機構を提供することにある。
【０００８】
また本発明の他の目的は例えキートップ本体の上面をフイルム板が覆う構造のキートップであっても、キートップ本体がフイルム板から外れる恐れのないキートップ及びこのキートップを用いたスイッチ機構を提供することにある。
【０００９】
【課題を解決するための手段】
上記問題点を解決するため本発明にかかるキートップは、合成樹脂製のキートップ本体の上下面に、可撓性を有する樹脂フイルムからなる第一のフイルム板と第二のフイルム板を覆うように取り付けてなるキートップであって、前記キートップの下面に凹部を設け、さらにこのキートップの上面と前記凹部間を貫通する貫通孔を設けたことを特徴とする。
【００１４】
また本発明にかかるスイッチ機構は、透明な樹脂フイルムからなるフイルム板を上方向に湾曲すると共にこの湾曲部内に透明な合成樹脂製のキートップ本体を取り付けてなるキートップであって、前記キートップ本体の下面に凹部を設け、且つ前記キートップ本体下面の少なくとも凹部の部分に表示層を設け、さらに前記キートップの下側に、弾性板とスイッチとを設置するとともに、前記弾性板の前記キートップに設けた凹部に対向する部分に凹部内に突出する押圧補助部を設け、キートップを押圧することで押圧補助部を下降して押圧補助部の下面側に設置した前記スイッチをオンすることを特徴とする。
【００１５】
また本発明にかかるスイッチ機構は、合成樹脂製のキートップ本体の下面に、可撓性を有する樹脂フイルムからなるフイルム板を取り付けてなるキートップであって、前記キートップの下面に凹部を設けるとともに、この凹部内に表示層を設け、さらに前記キートップの下側に、弾性板とスイッチとを設置するとともに、前記弾性板の前記キートップに設けた凹部に対向する部分に凹部内に突出する押圧補助部を設け、キートップを押圧することで押圧補助部を下降して押圧補助部の下面側に設置した前記スイッチをオンすることを特徴とする。
【００１７】
【発明の実施の形態】
以下、本発明の実施の形態を図面を参照して詳細に説明する。
図１は本発明の一実施形態にかかるキートップ板１０中の一つのキートップ１の部分を示す要部概略図であり、同図（ａ）は概略断面図（同図（ｂ）のＡ−Ａ断面図）、同図（ｂ）は平面図である。なおキートップ板１０には実際は複数のキートップ１が配置されているが、一ヶ所であってもかまわない。同図に示すようにキートップ１は、第一のフイルム板２０を上方向に湾曲して形成した湾曲部２３内に合成樹脂製のキートップ本体３０を成形・収納し、さらにキートップ本体３０の下面側にも第二のフイルム板４０を配置して構成されている。言い換えればこのキートップ１は、合成樹脂製のキートップ本体３０の上下面に第一のフイルム板２０と第二のフイルム板４０を覆うように取り付けて構成されている。そしてこのキートップ１には、第二のフイルム板４０の略中央部分に上方向に凸となるように湾曲変形してなる湾曲変形部４７を設けることでキートップ１の下面に凹部５０を設け、さらに第二のフイルム板４０の凹部５０に面する部分とそれ以外の部分にそれぞれ表示層（以下この実施形態に合せて「印刷層」と呼ぶ）４１，４３，４５を設けている。以下各構成部品について説明する。
【００１８】
第一のフイルム板２０は可撓性を有する透明な樹脂フイルムで構成されており、この実施形態ではポリエチレンテレフタレートフイルムが使用されている。もちろん他の各種素材からなる樹脂フイルムを使用してもよい。そして第一のフイルム板２０のキートップ本体３０を覆う部分にキートップ本体３０の上面形状と同形状の湾曲部２３を設けている。第一のフイルム板２０の下面側には実際には接着材層が設けられているが図面ではその記載を省略している。
【００１９】
第二のフイルム板４０は可撓性を有する透明な樹脂フイルムで構成されており、この実施形態ではポリカーボネートフイルムが使用されている。もちろん他の各種素材からなる樹脂フイルムを使用してもよい。そしてその湾曲変形部４７はドーム形状（略球面形状）である。第二のフイルム板４０の下面に形成されている印刷層４１，４３，４５は、何れも文字や数字であるが、他の各種記号・模様・図形・ベタ印刷等であっても良い。第二のフイルム板４０のキートップ１の外周一角部には貫通孔４９が設けられている。
【００２０】
キートップ本体３０は熱可塑性の透明な材料で構成され、この実施形態ではポリカーボネート樹脂が使用されている。もちろん他の各種素材からなる合成樹脂を用いても良い。なおキートップ本体３０の外周一角部からは舌片状の突出部３３が突出しており、突出部３３の下部に前記第二のフイルム板４０の貫通孔４９が位置している。
【００２１】
そしてキートップ板１０の下側に、例えば図５に示すように、透明な材質からなる弾性板（以下「ラバーシート」という）１１０と、スイッチＳ１を形成した基板１００とを設置すれば、スイッチ機構が構成される。ラバーシート１１０の凹部５０に対向する部分には、キートップ１を押圧した際にラバーシート１１０下面に設けた押圧部１１１を下降できるように凹部５０内に突出する押圧補助部１１３が設けられている。スイッチＳ１は押圧補助部１１３の下面側に設置されている。そしてキートップ１を押圧すれば、ラバーシート１１０の押圧補助部１１３が押圧されて下降し、ラバーシート１１０の押圧部１１１（押圧補助部１１３の硬度が高ければ、押圧部１１１は不要としてもかまわない）がスイッチＳ１上に設けた反転板１０１を押圧してこれを反転し、スイッチＳ１がオンする。
【００２２】
一方基板１００上に設置した発光ダイオード等の発光素子１０３を発光すれば、その光は透明なラバーシート１１０と第二のフイルム板４０とキートップ本体３０と第一のフイルム板２０とを通して第二のフイルム板４０に印刷した印刷層４１，４３，４５をキートップ１の表面に明るく照らし出す。本発明においては印刷層４１と、印刷層４３，４５とがキートップ１の中で上下に立体的に離れて表示されているので、印刷層４３，４５と印刷層４１が立体的に表示され、上側の印刷層４１による文字や図形や記号等を強調でき、下側の印刷層４３，４５による文字や図形や記号等と差別化でき、立体感・高級感を出すことが出来る。特にこのキートップ１においては印刷層４１と印刷層４３，４５の何れもがキートップ本体３０の下面側に設けられているので、これをキートップ１の上側から見た場合、透明なキートップ本体３０を通して浮き上がるような立体表示となり、高級感が増す。またこの実施形態のようにキートップ１下面の凹部５０をドーム形状（略球面形状）に形成すると、その凹部５０を通過する光が屈折してレンズ作用（この実施形態では凹レンズ作用）によって印刷層４１の表示が変化し、さらに独特の表示感が得られる。なおキートップ板１０を用いたスイッチ機構が、他の各種構造のスイッチ機構であってもよいことは言うまでもない。
【００２３】
また本実施形態の場合、合成樹脂製のキートップ本体３０を、第一のフイルム板２０と第二のフイルム板４０で覆うように構成しているので、キートップ本体３０がこれら第一，第二のフイルム板２０，４０から外れる恐れはない。
【００２４】
次にこのキートップ板１０の製造方法を説明する。図２はキートップ板１０の製造方法を示す図である。まず図２（ａ−１）に示すように第二のフイルム板４０の下面に、印刷層４１，４３，４５を印刷する。次に第二のフイルム板４０の所定位置に貫通孔４９を設ける。
【００２５】
次に図２（ｂ−１）に示すように第二のフイルム板４０を金型を用いて絞り加工（プレフォーム）することで湾曲して湾曲変形部４７を形成する。第二のフイルム板４０の絞り加工後の形状は、キートップ１の下面側の形状と同一である。
【００２６】
一方図２（ａ−２）に示す第一のフイルム板２０を、図２（ｂ−２）に示すように金型を用いて絞り加工（プレフォーム）することで上方向に凸となるように湾曲して湾曲部２３を形成する。湾曲部２３の形状はキートップ１の上面側の形状と略同一にする。
【００２７】
次に図２（ｃ）に示すように前記絞り加工した第一，第二のフイルム板２０，４０を重ね合わせた上で、これらを第一，第二金型７０，８０の間に挟持する。ここで第一金型７０には第一のフイルム板２０の湾曲部２３を収納する形状、即ちキートップ１の上部の形状が設けられている。また第二金型８０には変形した第二のフイルム板４０の形状、即ちキートップ１の下部の形状が設けられ、また第二のフイルム板４０の貫通孔４９に接続する位置にピンゲート８３が設けられている。
【００２８】
そしてこの状態で図２（ｄ）に示すようにピンゲート８３から溶融した樹脂を圧入して第一，第二金型７０，８０が形成するキャビティーＣ１内を溶融樹脂で満たし、溶融樹脂が固化した後に第一，第二金型７０，８０を取り外せば、図１に示すキートップ板１０が完成する。
【００２９】
なお上記実施形態においては第一のフイルム板２０とキートップ本体３０間は湾曲部２３の下面に印刷した接着材層によって接着され、また第二のフイルム板４０とキートップ本体３０間は材質を何れもポリカーボネート製としているので接着材がなくても溶融樹脂の熱と圧力で両者を接着できる。
【００３０】
なおキートップ板１０の製造方法は種々の変形が可能であり、例えば図３に示すように第一のフイルム板２０を絞り加工せず、図２（ａ−２）に示すような平板状のまま第一，第二金型７０，８０間に挟持し、ピンゲート８３から溶融した樹脂を圧入して第一，第二金型７０，８０が形成するキャビティーＣ１内に溶融樹脂を満たす際に溶融樹脂の熱と圧力によって第一のフイルム板２０を第一金型７０の内壁面形状に湾曲変形し、これによって図２（ｄ）に示す状態にすることでキートップ板１０を製造しても良い。また逆に第一のフイルム板２０を図２（ｂ−２）に示すようにプレフォームし、第二のフイルム板４０を平板状のままにしてこれらを挟持した第一，第二金型７０，８０が形成するキャビティーＣ１内に溶融樹脂を注入して第二のフイルム板４０を第二金型８０の内壁面形状に湾曲変形させても良い。さらに第一，第二のフイルム板２０，４０の何れをも平板状のまま第一，第二金型７０，８０間に挟持し、ピンゲート８３から溶融した樹脂を圧入して第一，第二金型７０，８０が形成するキャビティーＣ１内に溶融樹脂を満たす際に溶融樹脂の熱と圧力によって第一，第二のフイルム板２０，４０の両者をそれぞれ第一，第二金型７０，８０の内壁面形状に湾曲変形せしめ、これによって図２（ｄ）に示す状態にすることでキートップ板１０を製造しても良い。
【００３１】
また上記実施形態では印刷層４１，４３，４５をそれぞれ第二のフイルム板４０の下面に設けたが、何れもその上面に設けても良い。また上記実施形態では印刷層４１，４３，４５を第二のフイルム板４０のみに設けたが、印刷層は第一のフイルム板に設けても良い。また上記実施形態では表示層として印刷層を用いたが、印刷以外の蒸着手段などによる表示層であっても良い。
【００３２】
また上記実施形態では第二金型８０側にピンゲート８３を設けて第二のフイルム板４０に設けた貫通孔４９からキャビティーＣ１内に溶融樹脂を注入するように構成したが、図４に示すように第一金型７０側にピンゲート７３を設けて第一のフイルム板２０に設けた貫通孔２５からキャビティーＣ１内に溶融樹脂を注入するように構成してもよい。
【００３３】
またキートップ本体３０の脱落防止という目的のためだけであるならば必ずしも印刷層４１，４３，４５を設けなくても良い。
【００３４】
上記実施形態ではキートップ本体３０と第一，第二のフイルム板２０，４０との固定を接着材等によって行なっているが、第一のフイルム板２０や第二のフイルム板４０に孔を開け、この孔を介してキートップ本体３０となる合成樹脂をフイルム板の反対側に至らしめてこの反対側に至ったモールド樹脂とキートップ本体３０によって第一のフイルム板２０や第二のフイルム板４０を挟持することで機械的に固定するように構成しても良い。
【００３５】
また上記実施形態ではキートップ本体３０を第一，第二のフイルム板２０，４０で覆う構造に構成したが、図６に示すように、下側の第二のフイルム板４０を省略し、第一のフイルム板２０の湾曲部２３内にキートップ本体３０を取り付けるだけの構造のキートップ１−２とし、キートップ本体３０の下面に設けた凹部５０（凸部でも可）の部分とそれ以外の部分にそれぞれ印刷層４１，４３，４５を直接印刷しても良い。印刷方法としては例えばタンポ印刷等を用いる。これによって印刷層４３，４５の表示よりも印刷層４１の表示を浮き上がらせて高級感を出すことができる。そしてこのキートップ１−２の下に図５に示されているラバーシート１１０とスイッチＳ１を形成した基板１００とを設置することでスイッチ機構を構成することができる。
【００３６】
なお第二のフイルム板４０を用いた場合はフイルムへの印刷なので、この第二のフイルム板４０の複数のキートップ形成箇所に同時に容易で精度のよい多彩な印刷層４１，４３，４５を形成できる。
【００３７】
図７，図１０及び図１２，図１３は、それぞれ本発明の他の実施形態にかかるキートップ板１０−３，６〜８中の一つのキートップ１−３，６〜８の部分を示す要部概略断面図、図８，図９は、それぞれ参考例にかかるキートップ板１０−４，５中の一つのキートップ１−４，５の部分を示す要部概略断面図である。なおキートップ板１０−３〜８には実際はそれぞれ複数のキートップ１−３〜８が配置されているが、一つであってもかまわない。これらの図において前記実施形態と同一部分には同一符号を付してその詳細な説明は省略する。即ち図７に示すキートップ１−３において前記図１に示すキートップ１と相違する点は、第二のフイルム板４０の湾曲変形部４７の形状、即ち凹部５０の形状を、略球面形状にする代わりに、略円錐台形状にした点である。このように構成すれば、凹部５０の底部に平面が形成されるので、印刷層４１が平面上に形成できる。
【００３８】
また図８に示すキートップ１−４において前記図１に示すキートップ１と相違する点は、第二のフイルム板４０の湾曲変形部４７の形状を上方向に凸とする代わりに、下方向に凸とすることで、凹部５０の代わりにドーム形状（略球面形状）の凸部５５を設けた点である。このように構成しても、印刷層４１と印刷層４３，４５の間に立体感が生じ、高級感が生じ、さらに凸部５５を通過する光が屈折するレンズ作用（この実施形態では凸レンズ作用）によって印刷層４１の表示に独特の表示感が得られる。また図９に示すキートップ１−５のように、凹部５０の代わりに円錐台形状の凸部５５を設けても、印刷層４１と印刷層４３，４５の間に立体感が生じ、高級感が生じる。また図１０に示すキートップ１−６のように、凹部５０をキートップ１下面の周囲部分に設けても良い。凹部５０は円周状であっても、円弧状であっても、ドット状であっても、それ以外の形状であっても良い。このように構成すれば、周囲の印刷層４３，４５が中央の印刷層４１よりも浮き上がって見え、立体感が生じ、高級感が生じる。
【００３９】
また図１２に示すキートップ１−７の場合、キートップ１−７の下面中央に凹部５０を設ける点は前記各実施形態と同様であるが、その中央にその上面と凹部５０とを貫通する貫通孔６０を設けた点が相違している。貫通孔６０には例えば図１２に点線で示すように、別のキートップ６５を収納する。このとき凹部５０の部分はキートップ６５のつば部６７の収納部となっている。この実施形態においても印刷層４１と印刷層４３，４５の間に立体感が生じ、高級感が生じる。このキートップ１−７は円周状の上面の複数の部分を押圧することで押圧した部分の下に設置したスイッチをオンするものであり、キートップ６５とは別個に動作させることができるものである。なお２７は第一のフイルム板２０に印刷した印刷層（表示層）である。
【００４０】
次に図１３に示すキートップ１−８は、合成樹脂製のキートップ本体３０の下面に、可撓性を有する樹脂フイルムからなるフイルム板（上記各実施形態の「第二のフイルム板」に相当する）４０を取り付けて構成されている。そしてこのキートップ１−８にも、フイルム板４０の略中央部分に上方向に凸となるように湾曲変形してなる湾曲変形部４７を設けることでその下面に凹部５０を設け、さらにフイルム板４０の凹部５０に面する部分とそれ以外の部分にそれぞれ印刷層４１，４３，４５を設けている。キートップ本体３０とフイルム板４０の材質は、前記各実施形態のキートップ本体３０と第二のフイルム板４０と同様である。つまりキートップ１−８において前記図１に示すキートップ１と相違する点は、キートップ１において設けた第一のフイルム板２０を省略した点のみである。
【００４１】
そしてキートップ板１０の下側に、例えば図１４に示すように、透明な材質からなるラバーシート１１０と、スイッチＳ１を形成した基板１００とを設置すれば、スイッチ機構が構成される。ラバーシート１１０と基板１００の構造は前記図５に示すものと同じである。そしてキートップ１−８を押圧すれば、ラバーシート１１０の押圧補助部１１３が押圧されて下降し、ラバーシート１１０の押圧部１１１がスイッチＳ１上に設けた反転板１０１を押圧してこれを反転し、スイッチＳ１がオンする。一方基板１００上に設置した発光素子１０３を発光すれば、その光は透明なラバーシート１１０とフイルム板４０とキートップ本体３０とを通してフイルム板４０に印刷した印刷層４１，４３，４５をキートップ１−８の表面に明るく照らし出す。本実施形態においても印刷層４１と、印刷層４３，４５とがキートップ１−８の中で上下に立体的に離れて表示されているので、印刷層４３，４５と印刷層４１が立体的に表示され、上側の印刷層４１による文字や図形や記号等を強調でき、下側の印刷層４３，４５による文字や図形や記号等と差別化でき、立体感・高級感を出すことが出来る。キートップ１−８を用いたスイッチ機構が、他の各種構造のスイッチ機構であってもよいことは言うまでもない。
【００４２】
このキートップ板１０−８の製造は、予め湾曲変形部４７をプレフォームしたフイルム板４０（前述のように湾曲変形部４７は必ずしもプレフォームしなくても良い）を前記図２（ｃ）に示すような金型７０，８０間に挟持してキャビティーＣ１内に溶融モールド樹脂を充填して行ったり、予め湾曲変形部４７をプレフォームしたフイルム板４０上に別途成形したキートップ本体３０を接着したりして行う。キートップ本体３０とフイルム板４０間の固定は、キートップ本体３０成形時の熱による熱融着によって行ったり、接着材によって行ったりする。
【００４３】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えばキートップに設ける凹部の形状や構造が上記各実施形態に限定されず、種々の変形が可能であることは言うまでもない。また上記実施形態ではキートップ本体として成形による樹脂を用いたが、キートップ本体は他の各種合成樹脂を用いて構成しても良い。
【００４４】
【発明の効果】
以上詳細に説明したように本発明によれば以下のような優れた効果を有する。
▲１▼キートップ本体の上下面に第一のフイルム板と第二のフイルム板を覆うように取り付けたので、他に特別な固定手段を設けなくても、キートップ本体がフイルム板から外れる恐れがなくなる。
【００４５】
(2)第二のフイルム板を変形することで、キートップの下面に凹部を設ける場合は、第二のフイルム板の凹部の面とそれ以外の部分の面に表示層を設けるだけで、これら表示層を容易に上下に立体的に遠近感をもって表示することができ、表示に高級感を持たせることができる。しかも第二のフイルム板の凹部の面とそれ以外の部分の面に表示層を設けた場合は、何れの表示層もキートップ本体と第一のフイルム板を介してその表面側に表示されるので、各表示層をキートップの奥の方から浮き上がるように表示でき、この点からも高級感が生じる。
【００４６】
(3)第二のフイルム板を用いないで、キートップ本体の下面に直接凹部を設けた場合も、この凹部の部分に表示層を設けることで、表示層を容易に上下に立体的に表示でき、高級感を増すことができる。
【図面の簡単な説明】
【図１】本発明の一実施形態にかかるキートップ板１０中の一つのキートップ１の部分を示す要部概略図であり、同図（ａ）は概略断面図（同図（ｂ）のＡ−Ａ断面図）、同図（ｂ）は平面図である。
【図２】キートップ板１０の製造方法を示す図である。
【図３】キートップ板１０の他の製造方法を示す図である。
【図４】キートップ板１０の他の製造方法を示す図である。
【図５】キートップ１を用いて構成したスイッチ機構を示す図である。
【図６】本発明の他の実施形態にかかるキートップ板１０−２中の一つのキートップ１−２の部分を示す要部概略断面図である。
【図７】本発明の他の実施形態にかかるキートップ板１０−３中の一つのキートップ１−３の部分を示す要部概略断面図である。
【図８】  参考例にかかるキートップ板１０−４中の一つのキートップ１−４の部分を示す要部概略断面図である。
【図９】  参考例にかかるキートップ板１０−５中の一つのキートップ１−５の部分を示す要部概略断面図である。
【図１０】本発明の他の実施形態にかかるキートップ板１０−６中の一つのキートップ１−６の部分を示す要部概略断面図である。
【図１１】従来のキートップ板２００中の一つのキートップ２１０の部分を示す要部概略側断面図である。
【図１２】本発明の他の実施形態にかかるキートップ板１０−７中の一つのキートップ１−７の部分を示す要部概略断面図である。
【図１３】本発明の他の実施形態にかかるキートップ板１０−８中の一つのキートップ１−８の部分を示す要部概略断面図である。
【図１４】キートップ１−８を用いて構成したスイッチ機構を示す図である。
【符号の説明】
１  キートップ
１０  キートップ板
２０  第一のフイルム板
２３  湾曲部
３０  キートップ本体
３３  突出部
４０  第二のフイルム板
４１，４３，４５  表示層
４７  湾曲変形部
４９  貫通孔
５０  凹部
１００  基板
Ｓ１  スイッチ
１０１  反転板
１０３  発光素子
１１０  ラバーシート（弾性板）
１１１  押圧部
１１３  押圧補助部
１−２，１−３，１−４，１−５，１−６，１−７，１−８  キートップ
１０−２，１０−３，１０−４，１０−５，１０−６，１０−７，１０−８  キートップ板
５５  凸部
６０  貫通孔
【図１】
0004094337.tif 000002
【図２】
0004094337.tif 000003
【図３】
0004094337.tif 000004
【図４】
0004094337.tif 000005
【図５】
0004094337.tif 000006
【図６】
0004094337.tif 000007
【図７】
0004094337.tif 000008
【図８】
0004094337.tif 000009
【図９】
0004094337.tif 000010
【図１０】
0004094337.tif 000011
【図１１】
0004094337.tif 000012
【図１２】
0004094337.tif 000013
【図１３】
0004094337.tif 000014
【図１４】
0004094337.tif 000015